(57)【要約】【課題】専用の制御プロセッサを用いることなく、不具合による初期化を実行するインターフェース制御装置を得る。【解決手段】複数の情報管理モジュール１４に対して指示する複数の情報処理端末１２と一対一で接続されたインターフェース制御装置１０のインターフェース部１６は、不具合が発生、又はエラー信号を受信すると、情報処理端末１２から送信されるリセット信号により不具合があるインターフェース部１６のみ初期化される。インターフェース制御装置１０は、モジュール１４との情報の送受信を実行する第２送受信部２６と、インターフェース部１６と第２送受信部２６との間にセレクタ制御部２４とを備え、セレクタ制御部２４は、情報処理端末１２と情報管理モジュール１４との情報を制御すると共に、第２送受信部２６で受信される不具合情報に基づいて最先のリセット信号により第２送受信部２６に対して初期化処理を実行する。【選択図】図１
2009151640.tif 000002
【特許請求の範囲】
【請求項１】
複数の情報処理端末と複数の情報管理モジュールとの情報の送受信のために設けられ、前記情報処理端末と一対一で接続され、前記情報処理端末に対して前記情報を送受信するインターフェース部と、
前記インターフェース部を介した前記情報処理端末からの指示に基づいて、前記情報管理モジュールとの接続を選択する選択機能、並びに、不具合が発生したか、若しくは前記情報管理モジュールから送信されるエラー信号を受信した場合に、前記複数のインターフェース部を介して各情報処理端末へ割込信号を送信する割込信号送信機能を備えた中継器と、
前記割込信号受信に基づく前記情報処理端末からの各インターフェース部への初期化指示に従い、前記インターフェース部を初期化するインターフェース部初期化実行手段と、
前記中継器に不具合が発生したか、若しくは前記情報管理モジュールから送信されるエラー信号を受信した場合に、不具合情報を登録する登録手段と、
前記登録手段によって前記不具合情報が登録された後であって、前記中継器が受信する最先の初期化指示によって当該中継器を初期化する中継器初期化実行手段と、
前記中継器が受信する最先以外の前記初期化指示を無効にする無効手段と、
を有するインターフェース制御装置。
【請求項２】
前記無効手段が、前記登録手段によって登録された不具合情報を、前記中継器の初期化実行時に削除することを特徴とする請求項１記載のインターフェース制御装置。
【請求項３】
前記インターフェース部に設けられ、前記中継器に設けられた前記登録手段が登録可能な不具合情報領域よりも上流側で発生した不具合情報を登録する予備登録手段を更に有することを特徴とする請求項１又は請求項２記載のインターフェース制御装置。
【発明の詳細な説明】
【技術分野】
【０００１】
本発明は、インターフェース制御装置に関する。
【背景技術】
【０００２】
複数のサーバやホストコンピュータ等の情報処理端末は、インターフェース制御装置を介してメモリやハードディス等の情報管理モジュールにデータを入出力する等のアクセスしている。
【０００３】
このインターフェース制御装置は、１台の情報処理端末が複数の情報管理モジュールにアクセスするための制御を行うばかりでなく、複数の情報処理端末が複数の情報管理モジュールにアクセスするための制御も行っている。
【０００４】
複数の情報処理端末が複数の情報管理モジュールにアクセスするための制御を実行するインターフェース制御装置では、ハード障害等の不具合が発生して初期化処理が必要になった場合に、正常に動作する情報処理端末からのアクセスを継続するために、制御プロセッサが、初期化が必要な場所を特定し、初期化処理する技術が提案されている（例えば、引用文献１参照）。
【特許文献１】特開平０９−３２５８３８号公報
【発明の開示】
【発明が解決しようとする課題】
【０００５】
本発明は、専用の制御プロセッサを用いることなく、不具合による初期化を実行するインターフェース制御装置を得ることを目的とする。
【課題を解決するための手段】
【０００６】
請求項１の発明は、複数の情報処理端末と複数の情報管理モジュールとの情報の送受信のために設けられ、前記情報処理端末と一対一で接続され、前記情報処理端末に対して前記情報を送受信するインターフェース部と、前記インターフェース部を介した前記情報処理端末からの指示に基づいて、前記情報管理モジュールとの接続を選択する選択機能、並びに、不具合が発生したか、若しくは前記情報管理モジュールから送信されるエラー信号を受信した場合に、前記複数のインターフェース部を介して各情報処理端末へ割込信号を送信する割込信号送信機能を備えた中継器と、前記割込信号受信に基づく前記情報処理端末からの各インターフェース部への初期化指示に従い、前記インターフェース部を初期化するインターフェース部初期化実行手段と、前記中継器に不具合が発生したか、若しくは前記情報管理モジュールから送信されるエラー信号を受信した場合に、不具合情報を登録する登録手段と、前記登録手段によって前記不具合情報が登録された後であって、前記中継器が受信する最先の初期化指示によって当該中継器を初期化する中継器初期化実行手段と、前記中継器が受信する最先以外の前記初期化指示を無効にする無効手段と、を有している。
【０００７】
請求項２の発明は、前記無効手段が、前記登録手段によって登録された不具合情報を、前記中継器の初期化実行時に削除することを特徴としている。
【０００８】
請求項３の発明は、前記インターフェース部に設けられ、前記中継器に設けられた前記登録手段が登録可能な不具合情報領域よりも上流側で発生した不具合情報を登録する予備登録手段を更に有することを特徴としている。
【発明の効果】
【０００９】
請求項１記載の発明によれば、専用の制御プロセッサを用いることなく、不具合による初期化を実行するインターフェース制御装置を得ることができる。
【００１０】
請求項２記載の発明によれば、初期化信号の有効か無効かを、初期化指示信号と、不具合情報との論理回路（論理積）で構成することができる。
【００１１】
請求項３記載の発明によれば、本構成を有しない場合に比べて、全ての回路系の不具合を網羅することができる。
【発明を実施するための最良の形態】
【００１２】
図１は、本実施の形態に係るインターフェース制御装置１０の概略構成図である。
【００１３】
本実施の形態に係るインターフェース制御装置１０は、サーバ、ホストコンピュータ、パーソナルコンピュータ等の情報処理端末１２Ａ、１２Ｂと、メモリやハードディスク等の情報管理モジュール１４とに接続されている。なお、情報処理端末は、情報処理端末１２Ａ、１２Ｂに限らず、複数接続することができる。また、情報管理モジュール１４も、複数接続することができる。なお、情報処理端末１２Ａ、１２Ｂに接続される機能については、符号の末尾に各々の接続関係を示すアルファベットを付与して示すが、特定の接続を区別せずに説明する場合は、この符号末尾のアルファベットを省略して説明する。
【００１４】
情報処理端末１２は、インターフェース部１６と一対一で接続されており、情報管理モジュール１４に対してデータを書き込むためのデータの送信や、書き込まれているデータを読み出すためにデータを要求する制御信号等をインターフェース部１６へ送信する。また、情報処理端末１２は、インターフェース部１６からデータ等を受信する。さらに、情報処理端末１２は、インターフェース部１６から送信される割り込み信号を受信する。情報処理端末１２は、割り込み信号を受信すると、後述するインターフェース部１６のレジスタ１８に保持されている情報が不具合情報の場合、リセット信号をインターフェース部１６へ送信する。
【００１５】
インターフェース制御装置１０のインターフェース部１６は、中継器としてのデータ選択部２０の第１送受信部２２と一対一で接続されている。インターフェース部１６は、送信されるエラー信号を判別するためのエラー信号判別部１７、不具合情報等の情報を保持するためのレジスタ１８、初期化実行部１９を備えている。インターフェース部１６は、情報処理端末１２から送信されるデータや制御信号を第１送受信部２２へ送信し、第１送受信部２２から送信されるデータ等を情報処理端末１２へ送信する。また、インターフェース部１６は、インターフェース部１６自体にハングアップ等の不具合が発生してエラー信号を送信する場合、または、第１送受信部２２から送信されるエラー信号を受信した場合、そのエラー信号をエラー信号判別部１７へ送信する。インターフェース部１６は、情報処理端末１２から送信されるインターフェース部１６に対する初期化指示信号が受信されると、初期化実行部１９によりインターフェース部１６自体の初期化処理を実行し、第１送受信部２２へ、第１送受信部２２に対する初期化信号を送信する。さらに、レジスタ１８に保持されている不具合情報を削除する。
【００１６】
データ選択部２０の第１送受信部２２は、セレクタ制御部２４に接続されている。第１送受信部２２は、インターフェース部１６から送信されるデータや制御信号等をセレクタ制御部２４へ送信し、セレクタ制御部２４から送信されるデータ等をインターフェース部１６へ送信する。また、第１送受信部２２は、第１送受信部２２自体にハングアップ等の不具合が発生してエラー信号を送信する場合、または、セレクタ制御部２４から送信されるエラー信号を受信した場合、インターフェース部１６へエラー信号を送信する。第１送受信部２２は、インターフェース部１６から送信される第１送受信部２２に対する初期化指示信号を受信すると、第１送受信部２２自体の初期化処理を実行し、セレクタ制御部２４へ、後述する第２送受信部２６、情報管理モジュール１４に対する初期化指示信号を送信する。
【００１７】
セレクタ制御部２４は、第２送受信部２６と、状態管理部２８とに接続されている。また、セレクタ制御部２４は、初期化実行部２５を備えている。セレクタ制御部２４は、第１送受信部２２から送信されるデータや制御信号等を対応する情報管理モジュール１４へ送信されるように制御し、対応する情報管理モジュール１４へ送信する。また、セレクタ制御部２４は、第２送受信部２６から送信されるデータ等を対応する第１送受信部２２へ送信されるように制御し、対応する第１送受信部２２へ送信する。さらに、セレクタ制御部２４は、状態管理部２８から送信される各インターフェース部１６、各第１送受信部２２に対する初期化許可信号とエラー信号とを受信すると、接続されている各第１送受信部２２へエラー信号を送信する。また、セレクタ制御部２４が第１送受信部２２から送信される第２送受信部２６、情報管理モジュール１４に対する初期化指示信号を受信すると、初期化実行部２５は、後述する状態管理部２８に備えられているレジスタ３０に保持されている不具合情報を確認する。初期化実行部２５は、レジスタ３０に不具合情報が保持されている場合、第２送受信部２６に対する初期化指示信号を送信し、状態管理部２８へレジスタ３０の削除指示信号を送信する。
【００１８】
状態管理部２８は、第２送受信部２６に接続されている。状態管理部２８は、送信されるエラー信号を判別するためのエラー信号判別部２９と、不具合情報等の情報を保持するためのレジスタ３０と、を備えている。状態管理部２８は、第２送受信部２６から送信されるエラー信号を受信すると、そのエラー信号をエラー信号判別部２９へ送信する。状態管理部２８は、レジスタ３０に不具合情報が保持されると、セレクタ制御部２４へ、各インターフェース部１６、各第１送受信部２２に対する初期化信号を送信する。また、状態管理部２８は、セレクタ制御部２４から送信されるレジスタ削除指示信号に基づいて、レジスタ３０に保持されている不具合情報を削除する。
【００１９】
第２送受信部２６は、情報管理モジュール１４に接続されている。第２送受信部２６は、セレクタ制御部２４の制御に基づいて、セレクタ制御部２４から送信されるデータや制御信号等を、対応する情報管理モジュール１４へ送信する。また、情報管理モジュール１４から送信されるデータ等をセレクタ制御部２４へ送信する。さらに、第２送受信部２６は、第２送受信部２６自体にハングアップ等の不具合が発生すると、または、情報管理モジュール１４にデータの書き込みや読み出しを実行しても、正常に実行できない場合や、情報管理モジュール１４から送信されるデータが破損している場合等、情報管理モジュール１４からエラー信号を受信すると、状態管理部２８へエラー信号を送信する。
【００２０】
情報管理モジュール１４は、第２送受信部２６から送信される制御信号やデータに基づいて、データの書き込みや読み出し等を実行し、データ等を第２送受信部２６へ送信する。
【００２１】
インターフェース制御装置１０では、不具合が発生した場合に、不具合の発生箇所に応じて、部分的、または全体的に初期化処理が実行される。
【００２２】
まず、部分的な初期化処理の例としてインターフェース部１６で不具合が発生した場合について説明する。
【００２３】
図２は、インターフェース部１６で不具合が発生した場合の初期化処理の流れを示すフローチャートである。
【００２４】
ステップ１００では、不具合が発生したインターフェース部１６のエラー信号判別部１７は、初期化が必要なエラー信号だと判別し、インターフェース部１６に備えられているレジスタ１８に不具合情報を保持し、ステップ１０２へ移行する。
【００２５】
ステップ１０２では、不具合が発生したインターフェース部１６は、接続されている情報処理端末１２へ割り込み信号を送信し、ステップ１０４へ移行する。
【００２６】
ステップ１０４では、ステップ１０２で送信された割り込み信号を受信した情報処理端末１２は、割り込み信号を送信したインターフェース部１６のレジスタ１８に保持されている不具合情報を確認し、ステップ１０６へ移行する。
【００２７】
ステップ１０６では、ステップ１０４で不具合情報を確認した情報処理端末１２は、不具合が発生したインターフェース部１６へ、インターフェース部１６に対する初期化指示信号を送信し、ステップ１０８へ移行する。
【００２８】
ステップ１０８では、初期化指示信号を受信したインターフェース部１６の初期化実行部１９は、初期化処理を実行し、ステップ１１０へ移行する。
【００２９】
ステップ１１０では、不具合が発生したインターフェース部１６は、接続されているデータ選択部２０の第１送受信部２２へ初期化指示信号を送信し、ステップ１１２へ移行する。
【００３０】
ステップ１１２では、不具合が発生したインターフェース部１６は、レジスタ１８に保持されている不具合情報をクリアし、ステップ１１４へ移行する。
【００３１】
ステップ１１４では、ステップ１０８で不具合が発生したインターフェース部１６から送信された初期化指示信号を受信した第１送受信部２２は、初期化処理を実行し、このルーチンは終了する。
【００３２】
インターフェース部１６での不具合は、データ選択部２０のセレクタ制御部２４（図１参照）が、不具合情報を情報管理モジュール１４に送信しないため、不具合が発生していない情報処理端末１２から情報管理モジュール１４へのアクセスは正常に動作する。
【００３３】
インターフェース部１６で不具合が発生した場合の初期化処理の流れを、図２に示すフローチャートで説明したが、データ選択部２０の第１送受信部２２で不具合が発生した場合は次の点が異なる。第１送受信部２２で不具合が発生した場合は、まず、不具合が発生した第１送受信部２２は接続されているインターフェース部１６へエラー信号を送信する。不具合が発生した第１送受信部２２に接続されているインターフェース部１６は、第１送受信部２２から送信されたエラー信号を受信すると、エラー信号判別部１７がエラー信号を判別し、初期化処理が必要であればレジスタ１８に不具合情報を保持する。その後の処理は、図２のステップ１０２以降の処理となる。第１送受信部２２で不具合が発生した場合も、不具合が発生していない情報処理端末１２から情報管理モジュール１４へのアクセスは正常に動作する。
【００３４】
次に、全体的な初期化処理が実行される第２送受信部２６、または情報管理モジュール１４で不具合が発生した場合について説明する。
【００３５】
図３は、第２送受信部２６に不具合が発生した場合、または第２送受信部２６が情報管理モジュール１４から不具合情報を受信した場合に、データ選択部２０からインターフェース部１６へエラー信号を送信する流れを示すフローチャートである。
【００３６】
ステップ２００では、第２送受信部２６は、状態管理部２８へ不具合情報を送信し、ステップ２０２へ移行する。
【００３７】
ステップ２０２では、状態管理部２８のエラー判別部２９は、初期化が必要なエラー信号だと判別し、状態管理部２８に備えられているレジスタ３０に不具合情報を保持し、ステップ２０４へ移行する。
【００３８】
ステップ２０４では、状態管理部２８は、セレクタ制御部２４へ、各インターフェース部１６、各第１送受信部２２に対する初期化許可信号を送信し、ステップ２０６へ移行する。
【００３９】
ステップ２０６では、セレクタ制御部２４は、各第１送受信部２２へエラー信号を送信し、ステップ２０８へ移行する。
【００４０】
ステップ２０８では、各第１送受信部２２は、接続されているインターフェース部１６へ、エラー信号を送信し、このルーチンは終了する。
【００４１】
第２送受信部２６、または情報管理モジュール１４で不具合が発生した場合に、データ選択部２０からインターフェース部１６へエラー信号を送信すると、各インターフェース部１６は、それぞれ初期化処理を実行する。この初期化処理は、インターフェース部１６で不具合が発生した場合の処理の流れ（図２）となる。
【００４２】
次に、各インターフェース部１６での初期化処理、各第１送受信部２２での初期化処理が終了した後のデータ選択部２０での初期化処理について説明する。
【００４３】
図４は、第１送受信部２２での初期化処理が終了した後のデータ選択部２０の処理の流れを示すフローチャートである。
【００４４】
ステップ３００では、第１送受信部２２は、セレクタ制御部２４へ、第２送受信部２６、情報管理モジュール１４に対する初期化指示信号を送信し、ステップ３０２へ移行する。
【００４５】
ステップ３０２では、セレクタ制御部２４の初期化実行部２５は、状態管理部２８のレジスタ３０に保持されている情報を確認し、ステップ３０４へ移行する。
【００４６】
ステップ３０４では、レジスタ３０に不具合情報が保持されているか否かを判定する。不具合情報が保持されていない否定判定の場合は、このルーチンは終了する。不具合情報が保持されている肯定判定の場合は、ステップ３０６へ移行する。
【００４７】
ステップ３０６では、セレクタ制御部２４の初期化実行部２５は、第２送受信部２６、情報管理モジュール１４に対する初期化指示信号を送信し、状態管理部２８にレジスタ削除指示信号を送信し、ステップ３０８へ移行する。
【００４８】
ステップ３０８では、状態管理部２８は、セレクタ制御部２４から送信されるレジスタ削除指示信号を受信すると、レジスタ３０に保持されている不具合情報を削除し、ステップ３１０へ移行する。
【００４９】
ステップ３１０では、第２送受信部２６は、初期化処理を実行し、ステップ３１２へ移行する。
【００５０】
ステップ３１２では、第２送受信部２６は、情報管理モジュール１４へ初期化指示信号を送信し、ステップ３１４へ移行する。
【００５１】
ステップ３１４では、不具合が発生した情報管理モジュール１４は、初期化処理を実行し、このルーチンは終了する。
【００５２】
第２送受信部２６、または情報管理モジュール１４で不具合が発生した場合は、インターフェース制御装置１０に接続されている情報処理端末１２、インターフェース制御装置１０のインターフェース部１６、データ選択部の第１送受信部２２がそれぞれ初期化処理を実行し、ぞれぞれの第１送受信部２２からセレクタ制御部２４へリセット信号が送信される。第１送受信部２２から送信されるリセット信号によって第２送受信部２６、情報管理モジュール１４の初期化処理が実行されるのは、図４のフローチャートのステップ３０４で示したように、レジスタ３０に不具合情報が保持されている場合のみとなる。つまり、情報処理端末１２の処理速度等に応じて初期化処理のタイミング異なるため、第２送受信部２６、情報管理モジュール１４に対する初期化指示信号をセレクタ制御部２４が受信するタイミングが異なる。
【００５３】
セレクタ制御部２４の初期化実行部２５は、レジスタ３０に不具合情報が保持された後で受信される最先の初期化指示信号によって第２送受信部２６と不具合が発生した情報管理モジュール１４とを初期化し、管理情報部２８にレジスタ３０に保持されている不具合情報を削除させる削除指示信号を送信する。状態管理部２８がレジスタ３０に保持されている不具合情報を削除（無効）、すなわち初期化指示が無効とされる。そのため、最先以外の初期化信号では、初期化実行部２５は、初期化処理を実行しない。
【００５４】
なお、情報管理モジュール１４の初期化処理は、不具合が発生した情報管理モジュール１４に限らず、リセット制御装置１０に接続されている全ての情報管理モジュール１４が初期化処理を実行してもよい。
【００５５】
情報処理端末１２Ａからのリセット信号が、情報処理端末１２Ｂからのリセット信号よりも早くセレクタ制御部２４へ送信された場合の例について、図５を用いて説明する。
【００５６】
図５は、第２送受信部２６を介して状態管理部２８が、情報管理モジュール１４から送信される不具合情報を受信した場合のデータ選択部２０の処理のタイミングを示したタイミングチャートの一例である。
【００５７】
インターフェース制御装置１０は、所定のクロックに基づいて動作している。まず、情報管理モジュール１４から送信された不具合情報を状態管理部２８が受信し、図５に示すＡのタイミングで不具合情報のフラグがセット（１）される。不具合情報のフラグがセット（１）されると、次のクロックで状態管理部２８からリセット許可信号がセット（１）され、リセット許可信号が送信される。
【００５８】
その後、図５のタイミングチャートでタイミングの図示は省略しているが、セレクタ制御部２４から各第１送受信部２２にリセット信号が送信され、各第１送受信部２２から各インターフェース部１６Ａにリセット信号、各インターフェース部１６から各情報処理端末１２に割り込み信号が送信される。各情報処理端末１２から各インターフェース部１６にリセット信号、各インターフェース部１６から各第１送受信部２２にリセット信号が送信される。
【００５９】
図５のＢに示すタイミングで、セレクタ制御部２４が第１送受信部２２Ａからのリセット信号を受信し、フラグがセット（１）されると、同じタイミングで、第２送受信部２６、情報管理モジュール１４の初期化処理を実行するためのリセット信号を第２送受信部２６へ送信するフラグがセットされる。第２送受信部２６、情報管理モジュール１４の初期化処理を実行するためのリセット信号が第２送受信部２６へ送信されるので、次のクロックのタイミングで、不具合情報とリセット許可信号とのフラグがオフ（０）される。
【００６０】
その後、図５のＣに示すタイミングで、セレクタ制御部２４が第１送受信部２２Ｂからのリセット信号を受信し、フラグがセット（１）されたが、不具合情報と、リセット許可信号とのフラグがオフ（０）されているため、第２送受信部２６、情報管理モジュール１４の初期化処理を実行するためのリセット信号を第２送受信部２６へ送信するフラグがセット（１）されることはない。
【００６１】
つまり、第２送受信部２６、情報管理モジュール１４の初期化処理を実行するリセット有効期間は、不具合情報のフラグがセット（１）されることにより、リセット許可信号のフラグがセット（１）されている期間となる。
【００６２】
なお、インターフェース部とデータ選択部とは、それぞれ別の基板回路で実装しても、一体となった基板回路で実装してもよい。
【００６３】
また、第２送受信部２６に不具合が発生した場合、又は情報管理モジュール１４で不具合が発生して第２送受信部２６がエラー信号を受信した場合に、状態管理部２８のレジスタ３０に保持される不具合情報と、インターフェース部１６のレジスタ１８に保持される不具合情報とは、同じであっても違う不具合情報であってもよい。
【００６４】
また、本実施の形態では、インターフェース部１６と、状態管理部２８とにレジスタ（インターフェース部１６はレジスタ１８、状態管理部２８はレジスタ３０）を備えたが、これに限ったものでなく、状態管理部２８のレジスタ３０のみを備える構成でもよい。状態管理部２８のレジスタ３０を備える構成にすると、インターフェース部１６に不具合が発生した場合、又は第１送受信部２２に不具合が発生してインターフェース部１６がエラー信号を受信した場合に、不具合情報を状態管理部２８のレジスタ３０に保持し、情報処理端末１２がレジスタ３０の内容を確認できればよい。
【図面の簡単な説明】
【００６５】
【図１】本実施の形態に係るインターフェース制御装置の概略構成図である。
【図２】本実施の形態に係るインターフェース制御装置のインターフェース部で不具合が発生した場合の初期化処理の流れを示すフローチャートである。
【図３】本実施の形態に係るインターフェース制御装置の情報管理モジュール入出力部に不具合が発生した場合、または情報管理モジュール入出力部が情報管理モジュールから不具合情報を受信した場合に、データ選択部からインターフェース部へエラー信号を送信する流れを示すフローチャートである。
【図４】本実施の形態に係るインターフェース制御装置の第１送受信部での初期化処理が終了した後のデータ選択部の処理の流れを示すフローチャートである。
【図５】本実施の形態に係るインターフェース制御装置の第２送受信部を介して状態管理部が、情報管理モジュールから送信される不具合情報を受信した場合のデータ選択部の処理のタイミングを示したタイミングチャートの一例である。
【符号の説明】
【００６６】
１０  インターフェース制御装置
１２Ａ、１２Ｂ  情報処理端末
１４  情報管理モジュール
１６Ａ、１６Ｂ  インターフェース部
１８Ａ、１８Ｂ  レジスタ（予備登録手段）
１９Ａ、１９Ｂ  初期化実行部（インターフェース部初期化実行手段）
２０  データ選択部（中継器）
２２Ａ、２２Ｂ  第１送受信部（インターフェース部）
２５  初期化実行部（中継器初期化実行手段）
２８  状態管理部（無効手段）
３０  レジスタ（登録手段）
【図１】
2009151640.tif 000003
【図２】
2009151640.tif 000004
【図３】
2009151640.tif 000005
【図４】
2009151640.tif 000006
【図５】
2009151640.tif 000007